(57)【要約】【課題】  本発明はギヤや軸受の摩耗を促進させることなく、逆回転時の支持板のスライド移動による騒音の発生を効率よく低減させることができる表示装置を得るにある。【解決手段】  ベース板と、このベース板に取付けられた正・逆回転可能なモータと、前記ベース板に回転可能に取付けられた表示ドラムが設けられる出力ギヤと、前記モータのモータピニオンの駆動を前記出力ギヤに減速して伝達する中間ギヤが取付けられ、ベース板上をスライド移動できるように、該ベース板に固定された固定シャフトに一端部が取付けられた支持板および、前記中間ギヤが常時前記モータピニオンと前記出力ギヤに付勢する付勢スプリングとからなる中間ギヤ付勢機構と、前記モータの逆回転により前記中間ギヤが浮き上がる方向にスライド移動した際に発生する騒音を抑制することができ、かつ前記中間ギヤと出力ギヤおよびモータピニオンとの噛み合いが外れるのを防止できる弾性体を用いた騒音抑制手段とで表示装置を構成している。【選択図】  図３
2015150320.tif 000002
【特許請求の範囲】
【請求項１】
ベース板と、このベース板に取付けられた正・逆回転可能なモータと、前記ベース板に回転可能に取付けられた表示ドラムが設けられる出力ギヤと、前記モータのモータピニオンの駆動を前記出力ギヤに減速して伝達する中間ギヤが取付けられ、かつ該モータピニオンと前記出力ギヤとの間のベース板上をスライド移動できるように、該ベース板に固定された固定シャフトに一端部が取付けられた支持板および、この支持板に取り付けられた前記中間ギヤが常時前記モータピニオンと前記出力ギヤとに遊びが生じないように付勢する付勢スプリングとからなる中間ギヤ付勢機構と、前記モータの逆回転により前記中間ギヤが取り付けられた前記支持板が、前記中間ギヤと他のギヤとの噛み合いが外れる方向にスライド移動することで前記支持板あるいはこの支持板と一体的に移動するスライド部材と前記ベース板とが当接して発生する騒音を抑制するために、前記支持板あるいは前記スライド部材と前記ベース板との当接箇所に弾性体を設けた騒音抑制手段とからなることを特徴とする表示装置。
【請求項２】
騒音抑制手段は、支持板に取り付けられる中間ギヤを軸支する軸受とベース板方向に突出する突出部を備えた軸受部材と、この軸受部材と対応する部位のベース板に形成した該軸受部材が入り込む透孔と、この透孔の内壁面あるいは該透孔の内壁面と接触する前記軸受部材の外周部に前記中間ギヤと出力ギヤおよびモータピニオンとの噛み合いが外れないような隙間を介して取り付けられた弾性体とで構成されていることを特徴とする請求項１記載の表示装置。
【請求項３】
騒音抑制手段は固定シャフトに取り付けられる支持板の一端部に形成された透孔の軸挿入孔と、この透孔の軸挿入孔の内壁面あるいは該透孔の軸挿入孔の内壁面と接触する固定シャフトの外周部に前記中間ギヤと出力ギヤおよびモータピニオンとの噛み合いが外れないような隙間を介して取り付けられた弾性体とで構成されていることを特徴とする請求項１記載の表示装置。
【請求項４】
出力ギヤの外周部には位置検出部が形成されるとともに、該出力ギヤの位置検出部を検出する位置検出センサが設けられていることを特徴とする請求項１記載の表示装置。
【発明の詳細な説明】
【技術分野】
【０００１】
本発明は表示ドラムを用いた表示装置に関する。
【背景技術】
【０００２】
従来、この種の表示装置は表示ドラムを急激に停止させる必要があるため、ハイパワーのモータを用いている。
このため、高価なモータが必要となり、コスト高になるという欠点があった。
【０００３】
この欠点を解消するために、中間ギヤでの減速で、安価なモータを使用し、ギヤのバックラッシが発生しない付勢スプリングを用いた中間ギヤ付勢機構が考えられている。
このような付勢スプリングを用いた中間ギヤ付勢機構により表示ドラムを回転させる表示装置は、モータを正回転させるだけの場合には問題が生じないが、遊技者の趣向を高めるために表示ドラムを正・逆回転させて使用する場合には、モータを逆回転させた時に中間ギヤと他のギヤとの噛み合いが外れる方向に力が作用する。この力を抑えるために、より付勢力の強い付勢スプリングを用いると、常時過大な付勢力が中間ギヤに掛かることになり、ギヤや軸受の摩耗を促進させてしまうという欠点があった。
また、ギヤや軸受の摩耗を促進させない付勢力の弱い付勢スプリングを用いると、モータの逆回転に伴って、付勢スプリングによって付勢されている中間ギヤが取付けられた支持板が、中間ギヤと出力ギヤおよびモータピニオンとの噛み合いが外れる方向にスライド移動することで、支持板あるいはこの支持板と一体的に移動するスライド部材と、モータ等が取り付けられたベース板とが当接して騒音が発生するという欠点があった。
【先行技術文献】
【特許文献】
【０００４】
【特許文献１】特許第４９０７１８８号公報
【発明の概要】
【発明が解決しようとする課題】
【０００５】
本発明は以上のような従来の欠点に鑑み、ギヤや軸受の摩耗を促進させることなく、モータを逆回転させた際の支持板のスライド移動による騒音の発生を効率よく低減させることができる表示装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はベース板と、このベース板に取付けられた正・逆回転可能なモータと、前記ベース板に回転可能に取付けられた表示ドラムが設けられる出力ギヤと、前記モータのモータピニオンの駆動を前記出力ギヤに減速して伝達する中間ギヤが取付けられ、かつ該モータピニオンと前記出力ギヤとの間のベース板上をスライド移動できるように、該ベース板に固定された固定シャフトに一端部が取付けられた支持板および、この支持板に取付けられた前記中間ギヤが常時前記モータピニオンと前記出力ギヤとに遊びが生じないように付勢する付勢スプリングとからなる中間ギヤ付勢機構と、前記モータの逆回転により前記中間ギヤが取り付けられた前記支持板が、前記中間ギヤと前記出力ギヤおよび前記モータピニオンとの噛み合いが外れる方向にスライド移動することで前記支持板あるいはこの支持板と一体的に移動するスライド部材と前記ベース板とが当接して発生する騒音を抑制するために、前記支持板あるいは前記スライド部材と前記ベース板との当接箇所に弾性体を設けた騒音抑制手段とで表示装置を構成している。
【発明の効果】
【０００８】
以上の説明から明らかなように、本発明にあっては次に列挙する効果が得られる。
（１）請求項１により、正・逆回転可能なモータの逆回転により中間ギヤが取り付けられた支持板が、中間ギヤと出力ギヤおよびモータピニオンとの噛み合いが外れる方向にスライド移動することで、支持板あるいはこの支持板と一体的に移動するスライド部材と、モータ等が取り付けられたベース板とが当接して発生する騒音を抑制することができる。
したがって、表示ドラムを正・逆回転させるものであっても、ギヤや軸受の摩耗を促進させるような付勢力の強い付勢スプリングを用いなくてもよく、弾性体によって支持板あるいはこの支持板と一体的に移動するスライド部材と、モータ等が取り付けられたベース板とが当接した際の騒音の抑制を図ることができる。
（２）前記（１）により、弾性体を用いた騒音抑制手段によって、中間ギヤと出力ギヤおよびモータピニオンとの噛み合いが外れるのを確実に防止することができる。
（３）前記（１）により、中間ギヤ付勢機構と弾性体によって、正・逆回転する表示ドラムに対応することができるので、容易で、安価に設置することができる。
（４）請求項２も前記（１）〜（３）と同様な効果が得られるとともに、比較的にスペースの確保し易い支持板のほぼ中央部に大きな軸受部材や透孔を形成することができるため、さらに容易に騒音抑制手段を設置することができる。
（５）請求項３も前記（１）〜（３）と同様な効果が得られるとともに、ベース板に透孔を形成しなくても容易に騒音抑制手段を設置することができる。
（６）請求項４も前記（１）〜（３）と同様な効果が得られるとともに、容易に設置できる位置検出センサによって、表示ドラムの位置を正確に位置させることができる。
【図面の簡単な説明】
【０００９】
【図１】本発明を実施するための第１の形態の正面図。
【図２】本発明を実施するための第１の形態の側面図。
【図３】本発明を実施するための第１の形態の表示ドラムを外した状態の拡大側面図。
【図４】本発明を実施するための第１の形態の表示ドラムを外した状態の拡大平面図。
【図５】本発明を実施するための第１の形態の表示ドラムを外した状態の拡大正面図。
【図６】本発明を実施するための第１の形態の表示ドラムを外した状態の拡大斜視図。
【図７】本発明を実施するための第１の形態の正回転時の中間ギヤの軸受部材の説明図。
【図８】本発明を実施するための第１の形態の逆回転時の中間ギヤの軸受部材の説明図。
【図９】本発明を実施するための第１の形態の騒音試験の説明図。
【図１０】本発明を実施するための第２の形態の側面図。
【図１１】本発明を実施するための第２の形態の表示ドラムを外した状態の拡大側面図。
【図１２】本発明を実施するための第２の形態の軸受部材部分の拡大断面図。
【図１３】本発明を実施するための第３の形態の側面図。
【図１４】本発明を実施するための第３の形態の表示ドラムを外した状態の拡大側面図。
【図１５】本発明を実施するための第３の形態の軸受部材部分の拡大断面図。
【図１６】本発明を実施するための第４の形態の側面図。
【図１７】本発明を実施するための第４の形態の表示ドラムを外した状態の拡大側面図。
【図１８】本発明を実施するための第４の形態の固定シャフト部分の拡大断面図。
【発明を実施するための形態】
【００１０】
以下、図面に示す本発明を実施するための形態により、本発明を詳細に説明する。
【００１１】
図１ないし図９に示す本発明を実施するための第１の形態において、１は表示ドラムが正・逆回転する本発明の表示装置で、この表示装置１はベース板２と、このベース板２の前面に駆動軸３が突出するように、該ベース板２の裏面に取付けられた正・逆回転可能なモータ４と、このモータ４の駆動軸３に取付けられたモータピニオン５と、前記ベース板２の前面に軸受６を介して回転可能に取付けられた出力軸７に取付けられた表示ドラム取付部８および、外周部に取付けられた位置検出センサ１３で位置を検出することができる位置検出部１５を有する出力ギヤ９と、この出力ギヤ９の表示ドラム取付部８にビス１０で取付けられた表示ドラム１１と、前記モータ４のモータピニオン５の駆動を前記出力ギヤ９に減速して伝達する前記ベース板２に取付けられた、該モータピニオン５と噛み合う中間ギヤ１４と、この中間ギヤ１４が取り付けられ、かつ前記モータピニオン５と前記出力ギヤ９との間の前記ベース板２上をスライド移動できる支持板１６、この支持板１６の一端部に形成された透孔の軸挿入孔１７、この透孔の軸挿入孔１７に遊び（前記支持板１６がスライド移動できる隙間よりわずかに大きい隙間）を介して挿入されるとともに、前記支持板１６を脱落しないように支持する、前記ベース板２に固定された固定シャフト１８、この固定シャフト１８の先端部寄りの部位に形成された割りワッシャ挿入溝１９に挿入された割りワッシャ２０、前記支持板１６の中央部寄りの部位に軸受部材１２を介して取付けられた中間ギヤ１４が取付けられる中間ギヤ支持シャフト２１、前記支持板１６に他端部の付勢スプリング係止片２４にほぼ中央部が係止され、両端部が前記ベース板２の付勢スプリング係止部２５、２５に係止された、前記中間ギヤ１４を常時モータピニオン５と出力ギヤ９に遊びが生じないように付勢する弱い付勢力の付勢スプリング２６とからなる中間ギヤ付勢機構２３と、この中間ギヤ付勢機構２３の軸受部材１２が入るように前記ベース板２に形成された透孔２２および、この透孔２２の内壁面あるいは前記中間ギヤ１４が取付けられた、支持板１６と一体的に移動するスライド部材を構成する軸受部材１２の外周部に、この軸受部材１２と前記ベース板２に形成された透孔２２が当接することにより発生する騒音を抑制することができ、かつ前記中間ギヤ１４と出力ギヤ９およびモータピニオン５との噛み合いが外れるのを防止できる、本発明の実施の形態では前記軸受部材１２の端部と前記支持板１６との間で、該軸受部材１２の外周部に形成したリング状の溝２８内に先端部が外方へ突出するように取付けられた設定が容易なＯリング状の弾性体２９とからなる騒音抑制手段３０で構成されている。
【００１２】
上記構成の表示装置１はモータ４を正回転駆動させることにより、モータピニオン５の駆動が中間ギヤ１４を介して出力ギヤ９を回転駆動させ、表示ドラム１１が出力ギヤ９と一体になって正回転する。
【００１３】
モータ４の駆動が停止すると、表示ドラム１１も停止するが、この時、中間ギヤ１４とモータピニオン５および出力ギヤ９は中間ギヤ付勢機構２３の付勢スプリング２６の付勢力によってバックラッシが生じないため、表示ドラム１１が上下震動することなくきれいに停止し、表示ドラム１１の表示が見やすい状態で見える。
【００１４】
なお、出力ギヤ９には位置検出センサ１３で検出することができる位置検出部１５によって原点位置を検出することができる。
また、モータ４を逆回転駆動させることにより、モータピニオン５の駆動が中間ギヤ１４を介して出力ギヤ９を回転駆動させ、表示ドラム１１が出力ギヤ９と一体になって逆回転する。
【００１５】
このモータ４の逆回転時に、図８に示すように中間ギヤ１４がモータピニオン５と出力ギヤ９との噛み合いが外れる方向に力が作用するが、騒音抑制手段３０の弾性体２９の外周部がベース板２の透孔２２の上部内壁面と当接して、図９に示すように騒音の抑制を行なうとともに、中間ギヤ１４とモータピニオン５および出力ギヤ９との噛み合いが外れるのを阻止できる。
【００１６】
[発明を実施するための異なる形態]
次に、図１０ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図１０ないし図１２に示す本発明を実施するための第２の形態において、前記本発明を実施するための第１の形態と主に異なる点は、ベース板２に形成された透孔２２の内壁面にゴムや軟質合成樹脂材等の弾性を有する材質を用いた弾性体２９Ａをコーティングした騒音抑制手段３０Ａを用いた点で、このような騒音抑制手段３０Ａを用いて構成した表示装置１Ａにしても、前記本発明を実施するための第１の形態と同様な作用効果が得られる。
【００１８】
なお、弾性体２９Ａの透孔２２の内壁面へのコーティングは全内壁面は勿論、固定シャフト１８側の上面側にだけコーティングしてもよい。
【００１９】
図１３ないし図１５に示す本発明を実施するための第３の形態において、前記本発明を実施するための第１の形態と主に異なる点は、端部外周部にリング状の溝がない軸受部材１２Ａを用いるとともに、該軸受部材１２Ａの端部側の外周部にゴムや軟質合成樹脂材等の弾性を有する材質を用いた弾性体２９Ｂをコーティングした騒音抑制手段３０Ｂを用いた点で、このような騒音抑制手段３０Ｂを用いて構成した表示装置１Ｂにしても、前記本発明を実施するための第１の形態と同様な作用効果が得られる。
【００２０】
図１６ないし図１８に示す本発明を実施するための第４の形態において、前記本発明を実施するための第１の形態と主に異なる点は、支持板１６の一端部に形成された透孔の軸挿入孔１７の内壁面あるいは該透孔の軸挿入孔１７の内壁面と接触する固定シャフト１８の外周面、本発明の実施の形態では固定シャフト１８の外周面に弾性体２９Ｃを取り付けた騒音抑制手段３０Ｃを用いた点で、このような騒音抑制手段３０Ｃを用いて構成した表示装置１Ｃにしても、前記本発明を実施するための第１の形態と同様な作用効果が得られる。
【００２１】
なお、このような騒音抑制手段３０Ｃを用いる場合には支持板１６の移動の邪魔をしないように軸受部材１２と透孔２２の隙間を設定したり、軸受部材１２をベース板２方向へ突出させない構造にすることにより、該ベース板２に透孔２２を形成しない構造にすることができる。
【００２２】
また、支持板１６がスライド移動した際に当接可能な位置に、ベース板２から中間ギヤ１４の載置方向に対して突出する突出部（図示せず）を設け、この突出部と支持板１６との当接部に騒音抑制手段を配置することもできる。
本実施形態において、位置検出センサ１３をベース板２に設けたものについて説明したが、これ以外にも、位置検出センサ１３を位置検出部１５と対向する位置の遊技機本体の固定部に設けてもよい。
【産業上の利用可能性】
【００２３】
本発明は表示ドラムを用いた表示装置を製造する産業で利用される。
【符号の説明】
【００２４】
１、１Ａ、１Ｂ、１Ｃ：表示装置、
２：ベース板、                ３：駆動軸、
４：モータ、        ５：モータピニオン、
６：軸受、                    ７：出力軸、
８：表示ドラム取付部、        ９：出力ギヤ、
１０：ビス、                  １１：表示ドラム、
１２、１２Ａ：軸受部材、      １３：位置検出センサ、
１４：中間ギヤ、              １５：位置検出部、
１６：支持板、                １７：透孔の軸挿入孔、
１８：固定シャフト、          １９：割りワッシャ挿入溝、
２０：割りワッシャ、          ２１：中間ギヤ支持シャフト、
２２：透孔、                  ２３：中間ギヤ付勢機構、
２４：付勢スプリング係止片、  ２５：付勢スプリング係止部、
２６：付勢スプリング、        ２７：隙間、
２８：リング状の溝、
２９、２９Ａ、２９Ｂ、２９Ｃ：弾性体、
３０、３０Ａ、３０Ｂ、３０Ｃ：騒音抑制手段。
【図１】
2015150320.tif 000003
【図２】
2015150320.tif 000004
【図３】
2015150320.tif 000005
【図４】
2015150320.tif 000006
【図５】
2015150320.tif 000007
【図６】
2015150320.tif 000008
【図７】
2015150320.tif 000009
【図８】
2015150320.tif 000010
【図９】
2015150320.tif 000011
【図１０】
2015150320.tif 000012
【図１１】
2015150320.tif 000013
【図１２】
2015150320.tif 000014
【図１３】
2015150320.tif 000015
【図１４】
2015150320.tif 000016
【図１５】
2015150320.tif 000017
【図１６】
2015150320.tif 000018
【図１７】
2015150320.tif 000019
【図１８】
2015150320.tif 000020